(57)【要約】【課題】計量の際に内容物が手指に付着することがなく、操作が簡単で、適量を正確に計量することができる計量キャップを提供する【解決手段】内容物を充填する容器２のノズル部３に装着して容器２から振り出す内容物を摺り切り計量する摺り切り計量キャップであって、容器２のノズル部３に装着される本体キャップ４と、本体キャップ４に可動に係合するアッパーキャップ５とを有し、本体キャップ４は先端部８に上端開放の一定容積を有しかつ容器２の内部に連通する計量室２０を有し、アッパーキャップ５は本体キャップ４の計量室２０の摺り切り面１９に沿って上端開放部を閉じる位置と開く位置との間に変位可能に本体キャップ４に係合している【選択図】  図４
2008044659.tif 000002
【特許請求の範囲】
【請求項１】
内容物を充填する容器のノズル部に装着して前記容器から振り出す前記内容物を摺り切り計量する摺り切り計量キャップであって、
前記容器のノズル部に装着される本体キャップと、前記本体キャップに可動に係合するアッパーキャップとを有し、
前記本体キャップは先端部に上端開放の一定容積を有する計量室と前記容器から前記計量室へ内容物を送り込むための内部空間と、前記計量室の一部を形成する台とを有し、前記アッパーキャップは前記本体キャップの前記計量室の摺り切り面に沿って前記上端開放部を閉じる位置と開く位置との間に変位可能に前記本体キャップに係合していることを特徴とする摺り切り計量キャップ。
【請求項２】
前記アッパーキャップが前記上端開放部を閉じる位置においては、前記内容物は容器から本体キャップの前記内部空間及び前記アッパーキャップを経て前記計量室へ送り込まれる通路が形成され、前記アッパーキャップが前記上端開放部を開く位置へ移動する際に前記計量室に送り込まれた内容物は前記アッパーキャップによって摺り切られ、前記アッパーキャップが前記上端開放部を開ききった際に前記アッパーキャップは前記本体キャップの内容物送り込み通路を閉鎖するように構成したことを特徴とする請求項１記載の摺り切り計量キャップ。
【請求項３】
前記本体キャップと前記アッパーキャップとの間に設けられて前記アッパーキャップの前記変位を案内するガイド機構を備えることを特徴とする請求項１記載の摺り切り計量キャップ。
【請求項４】
前記ガイド機構は摺動可能に嵌合する筒体と棒体とからなり、前記嵌合は前記アッパーキャップの前記変位の範囲において維持されるように構成したことを特徴とする請求項２記載の摺り切り計量キャップ。
【発明の詳細な説明】
【技術分野】
【０００１】
この発明は容器内の粉粒体内容物を摺り切り計量して振り出す場合に使用する摺り切り計量キャップに関するものである。
【背景技術】
【０００２】
従来、粉粒体の内容物を計量する容器としては、（Ａ）計量スプーンを用いたもの（特許文献１参照）や、（Ｂ）計量キャップに計り取るもの（特許文献２参照）や、（Ｃ）倒立動作により一次計量室を充満させ、正立に戻して２次計量室に落とし、再度倒立して吐出する方式のもの（特許文献３参照）等がある。
【０００３】
【特許文献１】実開昭５１−１３４４６１号公報
【特許文献２】特開平９−１２４０５８号公報
【特許文献３】特開平８−２８２７１５号公報
【発明の開示】
【発明が解決しようとする課題】
【０００４】
このうち、（Ａ）、（Ｂ）などは手指への粉末の付着があり、使用上の煩わしさがあった。また、いずれの方式も計量のばらつきが大きいものが多く、適量を正確に計量することは困難であった。また、（Ｃ）は構造が複雑で、操作が相当に煩雑である。
【０００５】
このようなことから、計量の際に内容物が手指に付着することがなく、操作が簡単で、適量を正確に計量することができる計量キャップを提供することを目的とするものである。
【課題を解決するための手段】
【０００６】
この目的に対応して、この発明の摺り切り計量キャップは、内容物を充填する容器のノズル部に装着して前記容器から振り出す前記内容物を摺り切り計量する摺り切り計量キャップであって、
前記容器のノズル部に装着される本体キャップと、前記本体キャップに可動に係合するアッパーキャップとを有し、
前記本体キャップは先端部に上端開放の一定容積を有する計量室と前記容器から前記計量室へ内容物を送り込むための内部空間と、前記計量室の一部を形成する台とを有し、前記アッパーキャップは前記本体キャップの前記計量室の摺り切り面に沿って前記上端開放部を閉じる位置と開く位置との間に変位可能に前記本体キャップに係合していることを特徴としている。
【発明の効果】
【０００７】
この発明の計量キャップでは、振り出しの操作としては、容器を傾けて内容物を本体キャップの計量室に充填させ、アッパーキャップを手前に引いて、計量室内に盛られた内容物を摺り切り、本体キャップを下に向けて内容物を振り出すのであるが、容器の保持と容器を傾ける充填操作と、アッパーキャップを手前に引く摺り切り操作と、本体キャップを下に向ける振り出し操作は、すべて片手で行うことができるので、操作がきわめて容易である。
【０００８】
また、計量部分への内容物の取り分けが目分量や逆流防止機構によって行うのではなく、摺り切りによって行うので、計量が正確に行える。
【発明を実施するための最良の形態】
【０００９】
以下、この発明の一実施形態を図面を参照しつつ説明する。
図１から図４において、１は計量キャップであり、計量キャップ１は内容物を収容する容器２のノズル部３（図４）に装着されて、容器２内の内容物を摺り切り計量して振り出す場合に使用されるものである。
【００１０】
計量キャップ１は本体キャップ４とアッパーキャップ５とから成っている。
【００１１】
本体キャップ４は容器２のノズル部３に固着する部分であり、アッパーキャップ５は本体キャップ４に摺動可能に係合して、摺り切り動作をするものである。
【００１２】
本体キャップ４は基端部６と中間部７と先端部８とからなっている。基端部６は筒状であって、容器２のノズル部３に外嵌する内径をなしている。中間部７は後半部１１が基端部６から延長した筒状をなしていて、前半部１２は上端開放の後半部１１を縦割りにした樋状部１３をなしている。
【００１３】
中間部７の底部１４から計ってほぼ半径の高さの位置には後半部１１、前半部１２にわたって、台１５が設けられている。台１５の上面は台板１６が張設されており、また、前後端部１７、１８は閉じられている。先端部８はほぼ１／４球殻状をなしていて、上端が開放し、後端が中間部７の前端部１７によって閉じられている。この先端部８の先端が計量室２０を構成するのであって、したがって計量室２０は１／４球状の空間をなしている。計量室２０の上端面が内容物を摺り切る摺り切り面１９になっている。アッパーキャップ５はほぼ上下を逆にした、つまり伏せた、舟形をなしていて、先端部２１と後端部２２とからなっている。先端部２１はほぼ１／４球殻状をなしていて、本体キャップ４の計量室２０の上端開放部を閉じることができるとともに、先端部２１の最下端面は計量室２０の上端面の摺り切り面１９に沿って前後に変位可能である。
【００１４】
後端部２２は円筒体を縦割りにした下端開放の樋状をなし、先端部２１の後端に接続している。後端部２２は本体キャップ４の中間部７の後半部１１の内に摺動可能に密に嵌合している。アッパーキャップ５は本体キャップ４の中心線２３に沿って前後に変位可能であり、先端部２１が本体キャップ４の計量室２０を完全に閉じる進出位置と、計量室２０を完全に開く後退位置との間に変位可能である。アッパーキャップ５が進出位置にあるときは、容器２の内部空間２９は本体キャップ４の基端部６の内部空間２４、中間部７の後半部１１の内部空間２５、アッパーキャップ５の後端部２２の内部空間２７、アッパーキャップ５の先端部２１の内部空間２８を通して計量室２０と連通している。一方、アッパーキャップ５が後退位置にあるときは、上記の連通は、アッパーキャップ５の先端部２１の壁３１で遮断される。
【００１５】
アッパーキャップ５の上端には外方に突出する突起３２が設けられていて、この突起３２が本体キャップ４の中間部７の後半部１１の先端３３に突き当たることによって、アッパーキャップ５の後退位置が規定され、またアッパーキャップ５の先端下部には摺り切り部３４が設けられていて、この摺り切り部３４が本体キャップ４の先端内側３５に突き当たることによって、アッパーキャップ５の進出位置が規定される。
【００１６】
本体キャップ４とアッパーキャップ５との間には本体キャップ４に対するアッパーキャップ５の変位を案内するための３種類のガイド機構が設けられている。
【００１７】
第１種のガイド機構３６は、本体キャップ４の中間部７の円筒状の後半部１１に、アッパーキャップ５の樋状の後端部２２を嵌合させて、アッパーキャップ５の直線変位を可能としている。
【００１８】
次に第２種のガイド機構３７を備えている。第２種のガイド機構３７では本体キャップ４の側部において、台１５から中心線方向にガイドレール３８を設け、これを摺動可能に接触するガイドシュー４１をアッパーキャップ５の側部内側に設け、アッパーキャップ５の直線変位を実現させる。
【００１９】
次に第３種のガイド機構４２を備えている。第３種のガイド機構では、本体キャップ４側にレール筒４４を固定し、アッパーキャップ５側にシュー筒４５を固定する。レール筒４４は筒状の枠筒４６の内部にそれと同心状にレール棒４７を配置し、その間に円筒状の空間からなる挿入用空間４８を中心線方向に形成する。挿入用空間４８はアッパーキャップ５に向って開口され、レール筒４４は台１５上に固定する。
【００２０】
さらに、挿入用空間４８内には、ばね５５が組み込まれ、アッパーキャップ５の先端が通常、本体キャップ４の先端内側に付勢されるようになっている。
【００２１】
一方シュー筒４５は円筒壁５１によって内部に直線状の挿入用深孔５２を中心線方向に形成する。挿入用深孔５２は本体キャップ４に向けて開口させる。この構成では、シュー筒４５の円筒壁５１が挿入用空間４８に摺動可能に挿入し、挿入用深孔５２内にレール棒４７が摺動可能に挿入し、本体キャップ４に対するアッパーキャップ５の直線相対変位を可能にする。このように、複数種類のガイド機構を設けることによって、計量キャップ１における摺り切り動作を規制し、正しい計量を実現し、計量キャップ１が比較的可撓性のあるプラスチックで構成した場合でも、本体キャップ４とアッパーキャップ５の相対位置を正しく保つことができて、特に粉体の内容物の漏れを確実に防ぐことができる。
【００２２】
このように構成された計量キャップ１における計量及び振り出しの動作は次の通りである。
【００２３】
計量キャップ１からアッパーキャップ５を取り外した状態で本体キャップ４だけを容器２に装着して固定し、本体キャップ４の後半部１１の内部空間２５を通して、内容物を容器２内に注入、充填する。しかる後に、本体キャップ４とアッパーキャップ５の弾性変形を利用してアッパーキャップ５を本体キャップ４に嵌合させ、アッパーキャップ５の先端部２１で計量室２０の開放部を閉じる。このとき第１種のガイド機構３６において本体キャップ４の中間部７の円筒状の後半部１１に、アッパーキャップ５の樋状の後端部２２が嵌合し、かつ、第２種のガイド機構３７において、本体キャップ４のガイドレール３８にアッパーキャップ５のガイドシュー４１が係合し、さらに第３種のガイド機構４２において本体キャップ４のレール筒４４にアッパーキャップ５のシュー筒４５の先端が摺動可能に嵌合した状態（図１参照）となる。こうして製品が完成する。なお充填に際して、計量キャップ１を容器２から外して容器２の開口部より充填した後、計量キャップ１を容器２へ嵌合させてよい。
【００２４】
次にこの製品から粉粒体の内容物を取り出す場合には、まず、片手（右手または左手）の掌で容器２を握って逆さにし、計量キャップ１を下にする。
【００２５】
これによって容器２内の内容物は、容器２から、本体キャップ４の基端部６の内部空間２４、アッパーキャップ５の後端部２２の内部空間２７、アッパーキャップ５の先端部２１の内部空間２８を通って、計量室２０に入る。
【００２６】
この状態でアッパーキャップ５を親指で後退位置まで押し下げると、計量室２０の上面の摺り切り面に沿ってアッパーキャップ５が移動して、計量室２０の摺り切りが行われる。アッパーキャップ５の突起３２が本体キャップ４の中間部７の後半部１１の先端３３に当接して後退が停止し、計量室２０の開放部は完全に開放される。この状態で容器２を傾ければ計量室２０内の内容物が振り出される。
【００２７】
図５及び図６には、この発明の第２の実施形態に係る計量キャップ１ｂが示されている。この計量キャップ１ｂでは、第１の実施形態の計量キャップ１における本体キャップ４の基端部６を省略し、本体キャップ４の中間部７において容器２のノズル部３に装着する構造と、かつ中間部７の先端部にストッパー用の内向き突起５３を形成し、さらにアッパーキャップ５の後端部にストッパー用の外向き突起５４を形成し、内向き突起５３と外向き突起５４とを当接可能に構成している。この構造によって、アッパーキャップ５の摺り切り動作の位置決めが一層確実になる。
【００２８】
図７及び図８には、この発明の第３の実施形態に係る計量キャップ１ｃが示されている。この計量キャップ１ｃでは、装着の対象となる容器２が直筒状でなく、曲がっていて方向性を持っているので、それに装着する計量キャップ１ｃの姿勢が選択される。
【００２９】
なお第２の実施形態に係る計量キャップ１ｂと第３の実施形態に係る計量キャップ１ｃにおいては第１の実施形態に係る計量キャップ１において使用したばね５５が使用されていないが、本体キャップ４をアッパーキャップ５が閉じるためのアッパーキャップ５の動作をするためにはこの計量キャップ１ｂ、１ｃも計量キャップ１と同じく、ばね５５を用いて、アッパーキャップ５を付勢してもよいし、アッパーキャップ５を手動で動かしてもよい。
【図面の簡単な説明】
【００３０】
【図１】計量キャップの閉じた状態の縦断面図。
【図２】計量キャップの背面図。
【図３】計量キャップの開いた状態の縦断面図。
【図４】計量キャップを容器に装着した状態の縦断面図。
【図５】他の実施形態の計量キャップを容器に装着した状態でかつ閉じた状態の縦断面図。
【図６】他の実施形態の計量キャップを容器に装着した状態でかつ開いた状態の縦断面図。
【図７】さらに他の実施形態の計量キャップを容器に装着した状態でかつ開いた状態の縦断面図。
【図８】さらに他の実施形態の計量キャップを容器に装着した状態でかつ開いた状態の縦断面図。
【符号の説明】
【００３１】
１    １ｂ、１ｃ計量キャップ
２    容器
３    ノズル部
４    本体キャップ
５    アッパーキャップ
６    基端部
７    中間部
８    先端部
１１  後半部
１２  前半部
１３  樋状部
１４  底部
１５  台
１６  台板
１７  前端部
１８  後端部
１９  摺り切り面
２０  計量室
２１  先端部
２２  後端部
２４  内部空間
２５  内部空間
２６  内部空間
２７  内部空間
２８  内部空間
３１  壁
３２  突起
３３  先端
３４  摺り切り部
３５  先端内側
３６  第１種のガイド機構
３７  第２種のガイド機構
３８  ガイドレール
４１  ガイドシュー
４３  第３種のガイド機構
４４  レール筒
４５  シュー筒
４６  枠筒
４７  レール棒
４８  挿入用空間
５１  円筒壁
５２  挿入用深孔
【図１】
2008044659.tif 000003
【図２】
2008044659.tif 000004
【図３】
2008044659.tif 000005
【図４】
2008044659.tif 000006
【図５】
2008044659.tif 000007
【図６】
2008044659.tif 000008
【図７】
2008044659.tif 000009
【図８】
2008044659.tif 000010